(57)【特許請求の範囲】
【請求項１】
装置本体と、ＩＣカードを保持するカード保持手段と、所定の軸を中心に回転させることにより開閉可能な扉とを備えたＩＣカード実装装置において、
前記ＩＣカードを前記扉の内側にセットして前記扉を閉じるとき、その閉動作に伴って前記ＩＣカードを前記カード保持手段に徐々に導き、前記扉を閉じたとき前記ＩＣカードを前記カード保持手段に保持させるカードガイド手段を具備したことを特徴とするＩＣカード実装装置。
【請求項２】
装置本体と、ＩＣカードを保持する爪形状と、所定の軸を中心に回転させることにより開閉可能な扉とを備えたＩＣカード実装装置において、
前記ＩＣカードを前記扉の内側にセットして前記扉を閉じるとき、その閉動作に伴って前記ＩＣカードを前記爪形状に徐々に導き、前記扉を閉じたとき前記ＩＣカードを前記カード保持手段に保持させるカードガイド手段を前記爪形状に設けたことを特徴とするＩＣカード実装装置。
【請求項３】
請求項１または請求項２に記載のＩＣカード実装装置において、
前記ＩＣカードを前記扉の内側にセットしてその扉を閉じるとき、前記ＩＣカードの端部が前記ガイド手段に沿って移動することを特徴とするＩＣカード実装装置。
【請求項４】
請求項１から請求項３のいずれか１項に記載のＩＣカード実装装置において、
前記扉は、開いた状態で水平状態に保持されていることを特徴とするＩＣカード実装装置。
【発明の詳細な説明】
【０００１】
【発明の属する技術分野】
本発明は、ＩＣカード実装装置に関し、さらに詳しくは、ＩＣカードを垂直に実装してそのＩＣカードに書き込まれたデータを読み取るまたはそのＩＣカードにデータを書き込むことができるＩＣカード実装装置に関する。
【０００２】
【従来の技術】
図６の（ａ）は従来のＩＣカード実装装置のＩＣカードを実装する部分の斜視図であり、図６の（ｂ）はこのＩＣカード実装装置の断面図である。また、図７は、ＩＣカード４０の斜視図である。
１０は装置本体であり、３１は扉である。
【０００３】
前記扉３１は、その扉３１の回転軸３２を前記装置本体１０に形成された軸受け穴２６に入れ込むことにより開閉可能に保持されている。
前記装置本体１０には、さらに、ＩＣカード４０を垂直に保持するための爪形状２０，２１と、ＩＣカード４０を実装したときにそのＩＣカードの横方向の位置を決める本体側リブ２２，２３と、ＩＣカード４０を実装したときにＩＣカードの接点４１と接触するコネクタ２４と、ＩＣカード４０の実装を検出するスイッチ２５とが設けられている。
【０００４】
前記扉３１には、さらに、ＩＣカード４０を実装したときにそのＩＣカードの接点４１と装置本体のコネクタ２４とが確実に接触するようにＩＣカードを押さえるリブ３４と、扉３１を閉じたときにその扉を装置本体１０に固定するための固定用爪３３とが設けられている。
次に、図８〜図１０を用いて、ＩＣカードを実装するときの動作について説明する。
【０００５】
まず、図８に示すように、ＩＣカード４０を装置本体１０の爪形状２０にはめ込む。
次に、図９に示すように、ＩＣカード４０をさらに押し込んで垂直状態にし、本体側リブ２２，２３によりそのＩＣカード４０の横方向の位置を決めて固定する。なお、ＩＣカード４０の横方向の位置は、そのＩＣカードの接点４１と装置本体のコネクタ２４とが確実に接触する位置とする。
【０００６】
次に、図１０に示すように、扉３１を閉じ、固定用爪３３によりその扉３１を装置本体１０に固定する。このとき、ＩＣカード４０にはリブ３４からの圧力がかかるため、ＩＣカードの接点４１と装置本体のコネクタ２４とが接触すると同時に、スイッチ２５が押されてオン状態になる。これにより、回路（図示省略）が作動し、ＩＣカード４０に書き込まれたデータの読み取りや、ＩＣカード４０へのデータの書き込みを行う。
【０００７】
【発明が解決しようとする課題】
上記従来のＩＣカード実装装置では、ＩＣカード４０を装置本体１０に実装するときに、まずそのＩＣカード４０を装置本体１０の爪形状２０にはめ込み、そして、ＩＣカード４０を垂直にしてから扉３１を閉じるようになっている。
しかし、ＩＣカードを装置本体の爪形状にはめ込み作業の作業性が悪いため、ＩＣカードの交換に時間がかかることと、作業に熟練を必要とする問題点がある。
【０００８】
また、ＩＣカードを装置本体の爪形状にはめ込むときにＩＣカードの下端が装置本体のコネクタや、スイッチに引っかかってしまい、コネクタや、スイッチを破壊してしまう問題点がある。
また、ＩＣカードには色々な厚さのものが存在するため、薄いＩＣカードを実装したときに、ＩＣカードと爪形状の間のクリアランスが変化してガタが発生する。なお、ＩＣカードと爪形状の間にガタが発生すると、ＩＣカードの実装が不十分になる。また、ＩＣカードのコネクタや、装置本体のコネクタや、スイッチによりＩＣカードが外に押されるので、扉を閉じる前に爪形状から外れて倒れてしまう問題点がある。なお、最悪の場合は、倒れたＩＣカードが扉や地面と衝突して破壊してしまう問題点がある。
【０００９】
また、ＩＣカードを装置本体の爪形状にはめ込んだ後、例えば位置決めなどのために動かした場合は、装置本体のコネクタによりＩＣカードのコネクタに無理な力がかかり、装置本体のコネクタやＩＣカードのコネクタが破壊してしまう問題点がある。
そこで、本発明の目的は、ＩＣカードを安全かつ迅速に実装できるようにしたＩＣカード実装装置を提供することにある。
【００１０】
【課題を解決するための手段】
上記問題を解決するために、本発明は、装置本体と、ＩＣカードを保持するカード保持手段と、所定の軸を中心に回転させることにより開閉可能な扉とを備えたＩＣカード実装装置において、前記ＩＣカードを前記扉の内側にセットして前記扉を閉じるとき、その閉動作に伴って前記ＩＣカードを前記カード保持手段に徐々に導き、前記扉を閉じたとき前記ＩＣカードを前記カード保持手段に保持させるカードガイド手段を具備したことを特徴とする。
【００１１】
上記ＩＣカード実装装置では、ＩＣカードを扉の内側にセットして扉を閉じれば、そのＩＣカードがカード保持手段に確実に入り込んで実装されるので、ＩＣカードを迅速に実装できるようになる。また、ＩＣカードの下端が装置本体のコネクタや、スイッチに引っかかることがないため、それらコネクタや、スイッチの破壊を防止できることとなる。
【００１２】
また、上記問題を解決するために、本発明は、装置本体と、ＩＣカードを保持する爪形状と、所定の軸を中心に回転させることにより開閉可能な扉とを備えたＩＣカード実装装置において、前記ＩＣカードを前記扉の内側にセットして前記扉を閉じるとき、その閉動作に伴って前記ＩＣカードを前記爪形状に徐々に導き、前記扉を閉じたとき前記ＩＣカードを前記爪形状に保持させるカードガイド手段を前記爪形状に設けたことを特徴とする。
【００１３】
上記ＩＣカード実装装置では、ＩＣカードの横方向の位置を扉にセットしたときに決まるので、ＩＣカードを垂直にしてから位置決めのために動かす必要がなくなり、装置本体のコネクタやＩＣカードのコネクタの破壊を防止できることとなる。
【００１４】
【発明の実施の形態】
以下、図に示す実施の形態により本発明をさらに詳細に説明する。なお、これにより本発明が限定されるものではない。
図１は本発明の一実施の形態のＩＣカード実装装置のＩＣカードを実装する部分の斜視図であり、図２はその断面図である。また、図３はＩＣカード４０の斜視図である。
【００１５】
１０は装置本体であり、３１は扉である。
前記扉３１は、その扉３１の回転軸３２を前記装置本体１０に形成された軸受け穴２６に入れ込むことにより開閉可能に保持されている。
前記装置本体１０には、さらに、ＩＣカード４０を垂直に保持するための爪形状２０，２１と、ＩＣカード４０を実装したときにそのＩＣカードの横方向の位置を決める本体側リブ２２，２３と、ＩＣカード４０を実装したときにＩＣカードの接点４１と接触するコネクタ２４と、ＩＣカード４０の実装を検出するスイッチ２５と、リブ受け穴２９，３０とが設けられている。前記爪形状２０および爪形状２１には、それぞれ、カードガイドリブ２７およびカードガイドリブ２８が設けられている。
【００１６】
前記扉３１には、さらに、ＩＣカード４０を実装したときにそのＩＣカードの接点４１と装置本体のコネクタ２４とが確実に接触するようにＩＣカードを押さえるリブ３４と、扉３１を閉じたときにその扉を装置本体１０に固定するための固定用爪３３と、ＩＣカード４０を乗せたときそのＩＣカードの横方向の位置を決める扉側リブ３５，３６とが設けられている。なお、扉３１を閉じたときに、前記扉側リブ３５，３６は前記リブ受け穴２９，３０に挿入される。
【００１７】
次に、図４および図５を用いて、ＩＣカードを実装するときの動作について説明する。
まず、図４に示すように、ＩＣカード４０を、接点４１を表にして、扉３１の扉側リブ３５，３６の間に設置する。
次に、図５の（ａ）〜（ｄ）に示すように、扉３１を回転軸３２を中心に回転させる。なお、扉３１を回転させると、扉３１と装置本体１０との角度が徐々に狭くなり、ＩＣカード４０がカードガイドリブ２７，２８により誘導される。
【００１８】
図５の（ｄ）に示すように、扉３１を完全に閉じたときは、ＩＣカード４０がカードガイドリブ２７，２８により誘導されて爪形状２０，２１に入り込み、実装される。なお、本体側リブ２２，２３と扉側リブ３５，３６とにより、ＩＣカード４０の位置を接点４１とコネクタ２４とが確実に接触するように固定できる。従って、実装した後、位置を調整するためＩＣカードを動かす必要がなくなるからコネクタ２４やスイッチ２５の破壊を防止できる。
【００１９】
次に、固定用爪３３により扉３１を装置本体１０に固定する。このとき、ＩＣカード４０にはリブ３４からの圧力がかかるため、ＩＣカードの接点４１と装置本体のコネクタ２４とが接触すると同時に、スイッチ２５が押されてオン状態になる。これにより、回路（図示省略）が作動し、ＩＣカード４０に書き込まれたデータの読み取りや、ＩＣカード４０へのデータの書き込みを行う。
【００２０】
【発明の効果】
以上説明したように、本発明では、装置本体と、ＩＣカードを保持するカード保持手段と、所定の軸を中心に回転させることにより開閉可能な扉とを備えたＩＣカード実装装置において、前記ＩＣカードを前記扉の内側にセットして前記扉を閉じたときに前記ＩＣカードを前記カード保持手段に導くカードガイド手段を設ける。このため、ＩＣカードを扉の内側にセットして扉を閉じるだけでＩＣカードを確実に実装でき、ＩＣカードを安全かつ迅速に実装できるようになる。また、ＩＣカードが装置本体のコネクタや、スイッチに引っかかることがなくなるため、それらのコネクタや、スイッチの破壊を防止できる。また、ＩＣカードを実装してから位置決めのために動かす必要がなくなり、装置本体のコネクタやスイッチの破壊を防止できる。
【図面の簡単な説明】
【図１】本発明の一実施の形態のＩＣカード実装装置の要部構成図である。
【図２】図１のＩＣカード実装装置の断面図である。
【図３】ＩＣカードの斜視図である。
【図４】ＩＣカードを扉に乗せた状態の説明図である。
【図５】ＩＣカードを実装するための動作の説明図である。
【図６】従来のＩＣカード実装装置の要部構成図である。
【図７】ＩＣカードの斜視図である。
【図８】ＩＣカードを実装するための従来の動作の説明図（１）である。
【図９】ＩＣカードを実装するための従来の動作の説明図（２）である。
【図１０】ＩＣカードを実装された状態を示す断面図である。
【符号の説明】
１０              装置本体
２０，２１        爪形状
２２，２３        本体側リブ
２４              コネクタ
２５              スイッチ
２６              軸受け穴
２７，２８        カードガイドリブ
２９，３０        リブ受け穴
３１              扉
３２              回転軸
３３              固定用爪
３４              リブ
３５，３６        扉側リブ
【図１】
0003625125.tif 000002
【図２】
0003625125.tif 000003
【図３】
0003625125.tif 000004
【図４】
0003625125.tif 000005
【図５】
0003625125.tif 000006
【図６】
0003625125.tif 000007
【図７】
0003625125.tif 000008
【図８】
0003625125.tif 000009
【図９】
0003625125.tif 000010
【図１０】
0003625125.tif 000011